(57)【要約】【課題】  運搬や地震等の振動が加わった場合であっても蛍光灯の外れや破損を防止できる照明装置を提供することである。【解決手段】  器具本体１１は光源である蛍光灯１２を収納する。器具本体１１内部のソケット１９には、蛍光灯１２の口金部２０のピン２２が差し込まれ、口金部２０の回動により蛍光灯１２を着脱する。口金部保持部２１は、ソケット１９が蛍光灯１２を装着した状態で蛍光灯１２の口金部２０の回動を阻止する。【選択図】  図１
2007103239.tif 000002
【特許請求の範囲】
【請求項１】
光源を収納する器具本体と；
前記光源の口金部のピンが差し込まれ前記口金部の回動により前記光源を着脱するソケットと；
前記ソケットが光源を装着した状態で前記光源の口金部の回動を阻止するための口金部保持部と；
を備えたことを特徴とする照明装置。
【請求項２】
前記口金部保持部は、
前記光源の口金部の周囲を包囲して前記口金部の回動を阻止する回動阻止部と；
前記回動阻止部を固定する固定部と；
を備えたことを特徴とする請求項１記載の照明装置。
【請求項３】
前記口金部保持部は、
前記光源の口金部の周囲を包囲して前記口金部の回動を阻止する回動阻止部と；
前記回動阻止部に押圧力が加えられないときは伸張して前記回動阻止部が前記口金部の周囲まで前記回動阻止部を押し出し、前記回動阻止部に押圧力が加えられたときは収縮して前記回動阻止部を前記口金部の周囲外まで引き込むバネ部材と；
を備えたことを特徴とする請求項１記載の照明装置。
【発明の詳細な説明】
【技術分野】
【０００１】
本発明は、舞台照明やＴＶスタジオ照明等に用いられ、光源として蛍光灯を用いた照明装置に関する。
【背景技術】
【０００２】
劇場舞台やＴＶスタジオ等で用いる照明装置の一種として、地明かりを作るためのベース照明として使用されるフラッドライトが知られている。このようなフラッドライトは、前方を開口する器具本体内に光源と反射器を収納し、柔らかい光を比較的広い範囲で前方へ照射するようになっており、光源としてハロゲン電球を用いるものと蛍光灯を用いるものとがある。
【０００３】
例えば、光源として蛍光灯を用いた照明装置は、蛍光灯の口金部のピンをソケットに挿入し、口金部の回動により蛍光灯を着脱するようにしている。これにより蛍光灯の着脱を容易にするとともに、蛍光灯のソケットへの装着を確実なものとしている。
【０００４】
ここで、操作摘みの操作による回動機構の作動で各光源を連続的に回動させ任意の箇所で固定できるようにし、光源として蛍光灯を用いながら、指向性の高い光と指向性の低い光の間の任意な照射光を得ることができるようにしたものがある（例えば、特許文献１参照）。
【特許文献１】特開２００４−５５２１５号公報
【発明の開示】
【発明が解決しようとする課題】
【０００５】
しかし、特許文献１のものでは蛍光灯が回動機構で回動するようになっているので、蛍光灯が装着された状態で振動が発生すると蛍光灯が外れたり破損することがある。また、蛍光灯の脱着が回動式の照明装置においても、蛍光灯が装着された状態で振動が発生すると蛍光灯が外れたり破損することがある。例えば、運搬に伴う振動や地震による振動により蛍光灯が外れたり破損することがある。蛍光灯はソケットへの装着にあたり回動して装着位置を保持し、取り外す場合には装着時とは逆方向に回動させて装着位置を解除し離脱するようにしている。このことから、振動が生じたときに装着位置の保持が解除されてしまうことがあり、そうすると、蛍光灯が外れ人的被害に発展してしまうこともある。
【０００６】
本発明の目的は、運搬や地震等の振動が加わった場合であっても蛍光灯の外れや破損を防止できる照明装置を提供することである。
【課題を解決するための手段】
【０００７】
請求項１の発明に係わる照明装置は、光源を収納する器具本体と；前記光源の口金部のピンが差し込まれ前記口金部の回動により前記光源を着脱するソケットと；前記ソケットが光源を装着した状態で前記光源の口金部の回動を阻止するための口金部保持部と；を備えたことを特徴とする。
【０００８】
本発明および以下の各発明において、特に指定しない限り用語の定義および技術的意味は次による。
【０００９】
照明装置は、例えば光源として蛍光灯が用いられ、劇場舞台やＴＶスタジオ等で地明かりを作るためのベース照明として使用されるものである。
【００１０】
器具本体は光源を収納する。また、器具本体内部に光源からの光を反射するリフレクタを備えてもよい。ソケットには光源の口金部のピンが差し込まれ、口金部の回動により光源を固定して装着する。逆に、口金部の回動によりソケットへの光源の固定を解除し、口金部のピンを引き抜くことによりソケットから光源を取り外す。
【００１１】
口金部保持部は、ソケットが光源を装着した状態で光源の口金部の回動を阻止するものであり、振動等により光源がソケットから離脱するのを防止する。
【００１２】
請求項２の発明に係わる照明装置は、請求項１の発明において、前記口金部保持部は、前記光源の口金部の周囲を包囲して前記口金部の回動を阻止する回動阻止部と；前記回動阻止部を固定する固定部と；を備えたことを特徴とする。
【００１３】
本発明は、口金部保持部を、口金部の回動を阻止する回動阻止部と、その回動阻止部を固定する固定部とで構成したものである。回動阻止部は、光源の口金部の周囲を包囲して口金部の回動を阻止し、口金部が回動するのを防止する。
【００１４】
口金部の回動を阻止するときは回動阻止部を口金部の周囲まで移動させ、その位置で固定部で回動阻止部を固定する。一方、口金部の回動阻止を解除するときは回動阻止部を口金部の周囲外まで移動させ、固定部で回動阻止部を固定する。
【００１５】
請求項３の発明に係わる照明装置は、請求項１の発明において、前記口金部保持部は、前記光源の口金部の周囲を包囲して前記口金部の回動を阻止する回動阻止部と；前記回動阻止部に押圧力が加えられないときは伸張して前記回動阻止部が前記口金部の周囲まで前記回動阻止部を押し出し、前記回動阻止部に押圧力が加えられたときは収縮して前記回動阻止部を前記口金部の周囲外まで引き込むバネ部材と；を備えたことを特徴とする。
【００１６】
本発明は、口金部保持部を、口金部の回動を阻止する回動阻止部と、その回動阻止部を口金部の周囲を包囲する位置に保持するバネ部材とで構成したものである。
【００１７】
回動阻止部は、光源の口金部の周囲を包囲して口金部の回動を阻止し、口金部が回動するのを防止する。バネ部材は、回動阻止部に押圧力が加えられないときは、回動阻止部が口金部の周囲まで回動阻止部を押し出す。一方、回動阻止部に押圧力が加えられたときは収縮して回動阻止部を口金部の周囲外まで引き込む。
【００１８】
これにより、ソケットが光源を保持した状態では、バネ部材により回動阻止部が口金部の周囲を包囲する位置まで押し出される。一方、口金部の回動阻止を解除するときは回動阻止部に押圧力を加えて、バネ部材を収縮させ回動阻止部を口金部の周囲外まで移動させる。
【発明の効果】
【００１９】
請求項１の発明によれば、ソケットが光源を装着した状態において、口金部保持部で光源の口金部を保持し光源の口金部の回動を阻止するので、運搬や地震等の振動が加わった場合であっても、光源が外れて破損することがなくなる。
【００２０】
請求項２の発明によれば、請求項１の発明の効果に加え、口金部保持部の回動阻止部で口金部の周囲を保持し、口金部保持部の固定部で回動阻止部を固定するので、確実に光源の口金部の回動を阻止できる。
【００２１】
請求項３の発明によれば、請求項１の発明の効果に加え、ソケットが光源を保持した状態では、バネ部材により回動阻止部が口金部の周囲を包囲する位置まで押し出され、口金部の回動阻止を解除するときは回動阻止部に押圧力を加えてバネ部材を収縮させ回動阻止部を口金部の周囲外まで移動させるので、回動阻止部の移動が容易に行える。
【発明を実施するための最良の形態】
【００２２】
図１は本発明の実施の形態に係わる照明装置の正面図、図２は本発明の実施の形態に係わる照明装置の斜視図、図３は光源である蛍光灯のソケットへの装着の説明図である。
【００２３】
図２において、照明装置の器具本体１１の内部には、光源である複数個の蛍光灯１２が収納されている。図２では片方にのみ口金がある片口金形の蛍光灯を示している。また、器具本体１１の内部には、蛍光灯１２からの光を反射するリフレクタ１３が設けられ、蛍光灯１２からの光を器具本体１１の正面部から効率的に照射できるようにしている。器具本体１１の正面部には図示省略のフィルタがセットされる。フィルタはホルダ枠１４およびフィルタストッパ１５で保持される。また、器具本体１１には腕１６が取り付けられ、腕１６には落下防止ワイヤー１７が落下防止受け金具１８に取り付けられている。
【００２４】
図１において、器具本体１１内部には蛍光灯１２を着脱するソケット１９が取り付けられ、蛍光灯１２の口金部２０のピンがソケット１９に差し込まれて装着される。また、ソケット１９が蛍光灯１２を装着した状態で、蛍光灯１２の口金部２０の回動を阻止するための口金部保持部２１が設けられている。
【００２５】
図３において、蛍光灯１２をソケット１９に装着するにあたっては、まず、矢印Ａに示す方向に、蛍光灯１２の口金部２０のピン２２をソケット１９に差し込む。そして、その後に矢印Ｂに示す方向に口金部２０を回動させる。この口金部２０の回動により蛍光灯１２はソケットに確実に装着される。
【００２６】
図４は蛍光灯１２の口金部２０の回動を阻止していない回動非阻止状態での口金部保持部２１の一例を示す一部切欠平面図であり、図５は蛍光灯１２の口金部２０の回動を阻止していない回動非阻止状態での口金部保持部２１の一例を示す斜視図である。図４および図５では２個のソケット１９ａ、１９ｂを有し、一方のソケット１９ａに蛍光灯１２を装着した場合を示している。
【００２７】
図４に示すように、口金部保持部２１は回動阻止部２３と固定部２４とを有し、図５に示すように回動阻止部２３は器具本体１１の形状に合った形状に形成され貫通孔２５を有する。回動阻止部２３の貫通孔２５は、蛍光灯１２の口金部２０を挿入して口金部２０の回動を阻止するものであり、蛍光灯１２の口金部２０の回動を阻止していない回動非阻止状態では、蛍光灯１２の口金部２０は貫通孔２５に非挿入の状態である。
【００２８】
すなわち、回動阻止部２３は図４の矢印方向Ｃ１、Ｃ２にスライドするようになっており、矢印Ｃ１方向に移動したときは、回動阻止部２３の貫通孔２５が蛍光灯１２の口金部２０の周囲から外れた状態（回動非阻止状態）となり、口金部２０の回動阻止が解除された状態である。一方、矢印Ｃ２方向に移動したときは、回動阻止部２３の貫通孔２５が蛍光灯１２の口金部２０の周囲に位置する状態（回動阻止状態）となる。
【００２９】
口金部保持部２１の固定部２４は、回動阻止部２３のスライドに伴い回動阻止部２３が回動阻止状態位置または回動非阻止状態位置に位置したときに、その位置で回動阻止部２３を固定するものである。図４では、回動阻止部２３に長穴２６が設けられ、その長穴２６に固定部２４としてのネジが設けられた場合を示している。
【００３０】
図６は蛍光灯１２の口金部２０の回動を阻止した回動阻止状態での口金部保持部２１の一例を示す一部切欠平面図であり、図７は蛍光灯１２の口金部２０の回動を阻止した回動阻止状態での口金部保持部２１の一例を示す斜視図である。図６および図７では２個のソケット１９ａ、１９ｂを有し、一方のソケット１９ａに蛍光灯１２を装着した場合を示している。
【００３１】
図６および図７に示すように、蛍光灯１２の口金部２０の回動を阻止している回動阻止状態では、蛍光灯１２の口金部２０は貫通孔２５に挿入の状態である。すなわち、回動阻止部２３は図６の矢印方向Ｃ２にスライドされ、回動阻止部２３の貫通孔２５が蛍光灯１２の口金部２０の周囲に位置する状態（回動阻止状態）となっている。口金部保持部２１の固定部２４は、この回動阻止状態位置で回動阻止部２３を固定する。
【００３２】
図８は口金部保持部２１の他の一例を示す一部切欠平面図であり、図８（ａ）は蛍光灯１２の口金部２０の回動を阻止していない回動非阻止状態での口金部保持部２１の一例を示す一部切欠平面図、図８（ｂ）は蛍光灯１２の口金部２０の回動を阻止した回動阻止状態での口金部保持部２１の一例を示す一部切欠平面図である。図８に示した口金部保持部２１は、図４に示した口金部保持部の固定部２４に代えて、バネ部材２７としたものである。図４と同一要素には同一符号を付し重複する説明は省略する。
【００３３】
図８（ａ）に示すように、バネ部材２７は器具本体１１内部のソケット１９ａ、１９ｂの背面側に設けられ、口金部保持部２１の回動阻止部２３を前面側に押し出す方向にバネ力が作用するように設けられている。図８（ａ）の回動非阻止状態では、ソケット１９ａ、１９ｂの前面側（蛍光灯１２側）から回動阻止部２３に押圧力が加えられた状態を示している。この回動阻止部２３への押圧力は、例えば人間の手により加えられる。
【００３４】
回動阻止部２３に押圧力が加えられた状態では、図８（ａ）に示すように、バネ部材２７は収縮して蛍光灯１２の口金部２０は貫通孔２５に非挿入の状態であり、回動阻止部２３の貫通孔２５が蛍光灯１２の口金部２０の周囲から外れた状態（回動非阻止状態）となり、口金部２０の回動阻止が解除された状態となる。
【００３５】
一方、回動阻止部に押圧力が加えられないときは、図８（ｂ）に示すように、バネ部材２７は伸張して回動阻止部２３が口金部２０の周囲まで押し出され、回動阻止部２３の貫通孔２５が蛍光灯１２の口金部２０の周囲に位置する状態（回動阻止状態）となり、口金部２０の回動阻止状態となる。
【００３６】
このように、本発明の実施の形態では、蛍光灯１２を器具本体１１のソケット１９に取り付けた際に、器具本体１１に合った形状の回動阻止部２３をスライドさせて蛍光灯１２の口金部２０に合わせる。
【００３７】
そして、回動阻止部２３をスライドさせ蛍光灯の口金部２０に合わせる際は、固定部２４を用いた場合には、固定部２４を緩め回動阻止部２３をスライドさせ固定部２４を締めることにより固定させる。一方、固定部２４に代えてバネ部材２７を用いた場合には、回動阻止部２３にバネ部材２７を取り付け、回動阻止部２３が常に蛍光灯１２を回動させない位置にさせて、蛍光灯１２の脱着の際は回転阻止部２３を押してスライドさせる。
【００３８】
本発明の実施の形態によれば、口金部保持部２１で蛍光灯１２の口金部２０を保持し、蛍光灯１２の口金部２０の回動を阻止するので、運搬や地震等の振動が加わった場合であっても、蛍光灯１２が外れて破損することがなくなる。口金部保持部２１を回動阻止部２３と固定部２４とで構成した場合には、固定部２４で回動阻止部２３を固定するので、確実に蛍光灯１２の口金部２０の回動を阻止できる。一方、口金部保持部２１を回動阻止部２３とバネ部材２７とで構成した場合には、バネ部材２７により回動阻止部２３が口金部２０の周囲を包囲する位置まで押し出され、一方、回動阻止部２３に押圧力を加えてバネ部材２７を収縮させて回動阻止部２３を口金部の周囲外まで移動させて口金部２０の回動阻止を解除するので、回動阻止部２３の移動が容易に行える。
【図面の簡単な説明】
【００３９】
【図１】本発明の実施の形態に係わる照明装置の正面図。
【図２】本発明の実施の形態に係わる照明装置の斜視図。
【図３】本発明の実施の形態における光源である蛍光灯のソケットへの装着の説明図。
【図４】本発明の実施の形態における光源である蛍光灯の口金部の回動を阻止していない回動非阻止状態での口金部保持部の一例を示す一部切欠平面図。
【図５】本発明の実施の形態における光源である蛍光灯の口金部の回動を阻止していない回動非阻止状態での口金部保持部の一例を示す斜視図。
【図６】本発明の実施の形態における光源である蛍光灯の口金部の回動を阻止した回動阻止状態での口金部保持部の一例を示す一部切欠平面図。
【図７】本発明の実施の形態における光源である蛍光灯の口金部の回動を阻止した回動阻止状態での口金部保持部の一例を示す斜視図。
【図８】本発明の実施の形態における口金部保持部の他の一例を示す一部切欠平面図。
【符号の説明】
【００４０】
１１…器具本体、１２…蛍光灯、１３…リフレクタ、１４…ホルダ枠、１５…フィルタストッパ、１６…腕、１７…落下防止ワイヤー、１８…落下防止受け金具、１９…ソケット、２０…口金部、２１…口金部保持部、２２…ピン、２３…回動阻止部、２４…固定部、２５…貫通孔、２６…長穴、２７…バネ部材
【図１】
2007103239.tif 000003
【図２】
2007103239.tif 000004
【図３】
2007103239.tif 000005
【図４】
2007103239.tif 000006
【図５】
2007103239.tif 000007
【図６】
2007103239.tif 000008
【図７】
2007103239.tif 000009
【図８】
2007103239.tif 000010